(57)【要約】【課題】簡易動画放送の番組を録画した動画データが存在することを報知するとともに、簡易動画放送の番組を録画した動画データを、携帯可能な動画再生装置に容易に転送可能な映像表示装置および映像表示方法を提供する。【解決手段】  この発明の１つの実施の形態を用いることで、録画制御部７を介して録画装置６に録画されている通常の番組に簡易動画の番組が付属していることが容易に確認でき、しかも付属している簡易動画の番組を外部媒体に容易に転送できる。【選択図】  図１
2009212610.tif 000002
【特許請求の範囲】
【請求項１】
通常の番組に簡易動画の番組が付属しているか否かを抽出するとともに、通常の番組と簡易動画の番組とを識別可能に録画させるための情報を付与する映像・音声・番組情報抽出部と、
前記映像・音声・番組情報抽出部において、通常の番組に簡易動画の番組が付随していることが抽出された場合に、抽出された簡易動画の番組と通常の番組を、独立に録画する録画部と、
を有することを特徴とする映像表示装置。
【請求項２】
前記録画部において録画されている通常の番組のリストを作成するとともに、前記録画部において録画されている通常の番組に簡易動画の番組が付属していることを示す情報が付与されている場合に、通常の番組に簡易動画の番組が付属していることを報知するリスト表示部と、
を有することを特徴とする請求項１に記載の映像表示装置。
【請求項３】
前記リスト表示部は、前記録画部において録画されている通常の番組に付属している番組が、簡易動画の番組とは異なることを検出した場合に、通常の番組のリストとは独立して取り扱うことを特徴とする請求項２記載の映像表示装置。
【請求項４】
通常の番組及び前記通常の番組に付属している簡易動画の番組を録画する録画部と、
前記録画部において録画されている通常の番組のリストを作成するとともに、前記録画部において録画されている通常の番組に簡易動画の番組が付属していることを示す情報が付与されている場合に、通常の番組に簡易動画の番組が付属していることを報知するとともに、簡易動画の番組を外部媒体に転送するための操作メニューを表示するリスト表示部と、
を有することを特徴とする映像表示装置。
【請求項５】
前記リスト表示部は、前記録画部において録画されている通常の番組に簡易動画の番組が付属していることを示す情報が付与されている場合に、簡易動画の番組が付属している通常の番組に、簡易動画の番組が付属していることを示す識別子を表示することを特徴とする請求項２乃至請求項４のいずれかに記載の映像記録再生装置。
【請求項６】
前記リスト表示部は、前記録画部において録画されている通常の番組に簡易動画の番組が付属していることを示す情報が付与されている場合に、通常の番組に簡易動画の番組が付属していることを報知するとともに、簡易動画の番組を再生するための操作メニューを表示することを特徴とする請求項２乃至請求項４のいずれかに記載の映像記録再生装置。
【請求項７】
録画対象である通常の番組に簡易動画の番組が付随しているか否かを抽出し、
通常の番組と簡易動画の番組とを識別可能に録画させるための情報を付与し、
通常の番組と、簡易動画の番組を録画し、
録画されている通常の番組に簡易動画の番組が付属していることを示す情報が付与されている場合に、通常の番組に簡易動画の番組が付属していることを報知するとともに、簡易動画の番組を外部媒体に転送するための操作メニューを表示することを特徴とする映像表示方法。
【発明の詳細な説明】
【技術分野】
【０００１】
この発明は、空間波や通信回線により放送事業者や配信事業者から提供されるデジタル放送を受信し、任意の番組（コンテンツ）を再生する映像表示装置および映像表示方法に関する。
【背景技術】
【０００２】
近年、テレビジョン放送のデジタル信号化が推進されている。
【０００３】
日本国内においては、ＭＰＥＧ（Ｍｏｖｉｎｇ  Ｐｉｃｔｕｒｅ  Ｅｘｐｅｒｔｓ  Ｇｒｏｕｐ）２規格から発展させたＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）規格により、デジタル放送が開始されている。
【０００４】
ＩＳＤＢ−Ｔ規格は、１ｃｈ（チャンネル）あたりの周波数帯域幅を１３のセグメントに分割し、そのうちの４〜１２セグメントを用いて、標準画質（ＳＤＴＶ）または高画質（ＨＤＴＶ）の番組（コンテンツと称されることもある）を提供できる。なお、ＨＤＴＶの番組は、ＳＤＴＶの３番組分のセグメントを使用する。
【０００５】
このため、１つだけ残るセグメントを用い、番組の一部を提供する簡易動画放送（部分受信と称されることもある）が規定され、ワンセグ（１セグ，ｏｎｅ  ｓｅｇ）放送として、既に番組が提供されている。
【０００６】
このようなデジタル放送の普及に伴い、通常放送の番組とともに、簡易動画放送の番組も録画できるレコーダ装置（映像記録装置）や録画機能が与えられたテレビ受像機（ＴＶ装置）が、既に実用化されている。
【０００７】
なお、簡易動画放送の番組は、データサイズが通常の放送に比較して小さいため、録画済データを携帯可能に構成された動画再生装置（携帯端末）に移動して再生する、という利用（視聴方法）が広まりつつある。
【０００８】
特許文献１には、既に録画されたデジタル放送の番組のうちの簡易動画放送の番組を、携帯端末が再生可能な記録媒体に、選択的に転送する動画データ転送方法が開示されている。
【特許文献１】特開２００７−２７４５６２
【発明の開示】
【発明が解決しようとする課題】
【０００９】
特許文献１に開示された動画データ転送方法においては、転送しようとしているデータが、簡易動画放送の番組のデータではない場合、携帯端末において再生可能なデータに、再エンコードすることから、簡易動画とは異なるデータサイズの大きな動画データが転送されることになる。また、再エンコードには、レート変換を伴うことから、エンコードに必要な時間は、番組のもともとの時間に依存する。
【００１０】
この発明の目的は、通常放送の番組とともに簡易動画放送の番組も録画できるレコーダ装置（映像記録装置）や録画機能が与えられたテレビ受像機（ＴＶ装置）において、簡易動画放送の番組を録画した動画データが存在することを報知するとともに、簡易動画放送の番組を録画した動画データを、携帯可能な動画再生装置に、容易に転送可能な映像表示装置および映像表示方法を提供することである。
【課題を解決するための手段】
【００１１】
この発明は、上記問題点に基づきなされたもので、通常の番組に簡易動画の番組が付属しているか否かを抽出するとともに、通常の番組と簡易動画の番組とを識別可能に録画させるための情報を付与する映像・音声・番組情報抽出部と、前記映像・音声・番組情報抽出部において、通常の番組に簡易動画の番組が付随していることが抽出された場合に、抽出された簡易動画の番組と通常の番組を、独立に録画する録画部と、を有することを特徴とする映像表示装置を提供するものである。
【発明の効果】
【００１２】
この発明の１つの実施の形態を用いることで、通常の番組と連動して（関連づけて）録画されている簡易動画放送の番組を、例えばＳＤカード等である外部媒体に、容易に転送できる。
【００１３】
すなわち、録画されている通常の番組に簡易動画放送の番組が付属している場合、メニュー表示により表示される『クイックコピー』の実行により、簡易動画放送の番組を、例えばＳＤカード等である外部媒体に、容易にコピーまたはムーブ（コピーが禁止されている番組はムーブのみ許可されている）可能となる。
【００１４】
従って、ユーザの操作性や利便性が向上する。
【発明を実施するための最良の形態】
【００１５】
以下、図面を参照して、本発明の実施の形態の一例について説明する。
【００１６】
図１は、本発明の実施の形態が適用可能な録画機能付きの映像表示装置の一例を示す。なお、以下に説明する録画機能付きの映像表示装置は、例えば映像表示部（モニタ装置）が一体に設けられているテレビ受信機であってもよい。
【００１７】
図１に示す映像表示装置１は、リモートコントローラ（以下リモコンと略称する）１１からのキーコード（制御入力）を受信する受信部２と、受信部２において受信したキーコードに従い、後段に説明するチューナ４、映像・音声・番組情報抽出部５、記録装置６、録画制御部７、録画リスト制御部８、及び再生信号処理部９のそれぞれを制御するコントローラ３を含む。
【００１８】
コントローラ３は、図示しないが、ＣＰＵ（Ｃｅｎｔｒａｌ  Ｐｒｏｃｅｓｓｉｎｇ  Ｕｎｉｔ）として機能する主制御ＩＣ（Ｉｎｔｅｇｒａｔｅｄ  Ｃｉｒｃｕｉｔ）またはＬＳＩ（Ｌａｒｇｅ  Ｓｃａｌｅ  Ｉｎｔｅｇｒａｔｅｄ  ｃｉｒｃｕｉｔ）、ＣＰＵが実行する制御プログラムを保持したＲＯＭ（Ｒｅａｄ  Ｏｎｌｙ  Ｍｅｍｏｒｙ）、ＣＰＵに作業エリアを提供するＲＡＭ（Ｒａｎｄｏｍ  Ａｃｃｅｓｓ  Ｍｅｍｏｒｙ）、各種の設定情報や制御情報等が格納される不揮発性メモリ（Ｎｏｎ  Ｖｏｌａｔｉｌｉｔｙ  Ｍｅｍｏｒｙ）、ならびに時刻管理や、ユーザからの入力により設定される録画予約等に利用されるタイマコントローラ（Ｔｉｍｅｒ  Ｃｏｎｔｒｏｌｌｅｒ）等を含む。
【００１９】
チューナ４は、入力（映像、音声、番組情報が含まれるデータ）１２として、例えば図示しないアンテナが接続され、空間波（地表波および衛星波）による放送が受信可能である場合には、リモコン１１を介して指示されたチャンネル（ｃｈ）の番組（コンテンツと称されることもある）を受信する。また、入力１２として、例えば図示しない光ケーブル等により、ケーブルＴＶ局から配信される放送が受信可能である場合には、リモコン１１を介して指示されたチャンネル（ｃｈ）の番組を受信する。なお、チューナ４は、ある映像、音声、番組情報が含まれるデータから、他の映像、音声、番組情報が含まれるデータへ切り換えることができれば、チューナという呼称にとらわれる必要は無く、例えば通信回線を介してアクセス可能なネットワーク上のサーバや特定の配信事業者が提供する映像供給サイトへの接続を可能とする通信装置と置き換えられてもよい。もちろん、通信装置とチューナ４の双方が用意されてもよいことはいうまでもない。
【００２０】
映像・音声・番組情報抽出部５は、チューナ４から出力された信号から映像、音声、番組情報を抽出するもので、チューナ４を介して取得したｃｈ（チャンネル）の番組を復号化して映像信号及び音声信号を得るとともに、番組にマージ（併合）して供給される各種データ（番組情報）や番組属性情報（番組ジャンル等）等を抽出する。なお、番組情報には、例えば簡易動画放送（ワンセグ、と称される）の番組が付属していることを示すＳＩ（Ｓｅｒｖｉｃｅ  Ｉｎｆｏｒｍａｔｉｏｎ）等が含まれている。従って、後段に説明するが、デジタル放送において通常供給される圧縮動画であるＭＰＥＧ（Ｍｏｖｉｎｇ  Ｐｉｃｔｕｒｅ  Ｅｘｐｅｒｔｓ  Ｇｒｏｕｐ）−ＴＳ（Ｔｒａｎｓｐｏｒｔ  Ｓｔｒｅａｍ）方式において付随する管理データ部分をチェックすることで、簡易動画放送の番組が付属しているか否かが特定できる。なお、簡易動画（ワンセグ）放送は、部分受信と称されることもあり、また部分受信は、動画（映像）に限らず、データ（データ放送）や、音声のみの放送についても適用される。
【００２１】
記録装置６は、例えば２５０〜１０００Ｇバイトの記録容量が与えられた書き換え可能な大容量記録装置（Ｈａｒｄ  Ｄｉｓｋ  Ｄｒｉｖｅ，ＨＤＤ）であって、記録レートを変えることにより、最大で１０００時間程度の映像信号および音声信号が記録可能である。なお、記録装置６に保持されている番組は、詳述しないが、家庭内ネットワークやサーバを介して接続されている他の映像記録再生装置のハードディスク装置や映像記録再生装置１に増設されたハードディスク装置であってもよいことはいうまでもない。
【００２２】
録画制御部７は、記録装置６への録画番組の書き込みと記録装置６からの番組の読み出し、録画リスト制御部８への番組情報の受け渡し、再生信号処理部９を経由した映像（再生画像）出力、ならびに後段に説明するデータ出力部１３へのデータの転送等を制御するもので、記録装置６への録画番組の書き込み時には、映像・音声・番組情報抽出部５において復号化された番組をエンコードし、記録装置６から読み出した番組をデコードして、後段の再生信号処理部９に出力する。また、録画制御部７は、データ出力部１３に接続されたメモリカード等への記録装置６が保持する番組の転送に利用される。なお、録画制御部７は、記録装置６へ番組を録画するに際し、録画しようとしている通常放送の番組に、簡易動画（ワンセグ）放送の番組が付随している場合には、図８により、後段に説明するが、それぞれを独立して別ファイルに記録させるとともに、通常放送の番組と簡易動画放送の番組が連動していることを示す、識別子を付与する。
【００２３】
録画リスト制御部８は、記録装置６から読み出され、録画制御部７でデコードされた番組に付随する番組情報を基に録画リストを生成する。
【００２４】
再生信号処理部９は、記録装置６から読み出され、録画制御部７でデコードされた番組を、ディスプレイ１０において映像（再生画像）として表示（再生）することのできる出力映像信号を生成する。なお、再生信号処理部９は、ディスプレイ１０との間で分岐され、図示しない出力端に出力されてもよい。すなわち、出力端には、ディスプレイ１０とは独立した別の表示装置（モニタ装置）や、アナログ式のレコーダ装置等が接続可能であり、出力端に接続された機器側で出力映像信号をさらに処理することを可能とする。
【００２５】
録画制御部７には、さらに半導体メモリ（カードメモリ）等が装着可能なカードリーダライタ／メモリスロット等であるデータ出力部１３が接続されている。なお、データ出力部１３は、例えばＵＳＢ（Ｕｎｉｖｅｒｓａｌ  Ｓｅｒｉａｌ  Ｂｕｓ）ポート等に代表されるインタフェースであってもよいし、データ出力部１３と接続されたＵＳＢマスストレージであってもよい。また、データ出力部１３は、例えばブルートゥース（Ｂｌｕｅ  Ｔｏｏｔｈ，登録商標）等に代表される無線通信機器であってもよい。
【００２６】
次に、図１により概略を説明した映像表示装置を用いて、録画済の番組のうちの簡易動画放送の番組を、外部媒体すなわちデータ出力部にセットされるメモリカード等に転送する方法の一例を示す。
【００２７】
図２において、リモコン１１の図示しない［録画リスト］キーがオン（録画リストの表示が指示）されることで、簡易動画放送の番組を外部媒体へコピー（転送）することが可能な転送モード（操作メニューを表示）が起動される（１）。
【００２８】
（１）において、簡易動画放送の番組を外部媒体へコピー（転送）することが可能なモードが起動されると、記録装置６に記録されている通常放送の番組の１つが記録装置６から取得される（２）。
【００２９】
次に、（２）で取得した通常放送の番組に簡易動画放送の番組が付属しているか否かが判定される（３）。
【００３０】
（３）において、簡易動画放送の番組が付属していると判定された場合（（３）−ＹＥＳ）は、後段で表示させる録画リストにおいて、その番組にワンセグアイコンを表示するため、「ワンセグアイコンの表示」を表示することが必要であることが関連づけられる。例えばメインメモリ（ＲＡＭ）内の所定の領域（ワンセグフラグエリア等）に確保されている『ワンセグアイコンフラグ』が“０”→“１”に変更される（４）。
【００３１】
続いて、記録装置６に記録されている通常番組が他にあるか否かがチェックされる（５）。
【００３２】
（２）〜（５）により、記録装置６に記録されている総ての番組について、簡易動画放送の番組が付属しているか否かがチェックされ、チェックが終了した時点（（５）−ＹＥＳ）で、（３）で得られた情報（『ワンセグアイコンフラグ』）に基づき、録画リストを表示可能な出力映像信号が生成される。この時点で、図３に示すような表示画面を表示可能な出力映像信号が得られる。従って、再生信号処理部９とディスプレイ１０とが接続されている場合には、ディスプレイ１０に、図３に示したような『通常録画リスト』画面が表示される。一方、図示しない出力端に、モニタ装置を接続することで、同様に図３に示したような『通常録画リスト』画面が表示される（６）。
【００３３】
リストされた『通常録画リスト』画面において、リモコン１１の図示しない［カーソル］キーにより、リスト中の任意の番組が選択され（７）、リモコン１１の図示しない［クイックメニュー］キーによりクイックメニューの表示が指示されると、図４に示すように、選択された番組を外部媒体へコピー可能な『クイックメニュー』表示が表示される（８）。
【００３４】
この状態で、ユーザにより、『クイックメニュー』表示のうちの『ワンセグをＳＤカードへコピー』が選択される（９）と、データ出力部１３にメモリカード（ＳＤカード）がセットされていること、及びセットされていることがチェックできた場合に空き容量が十分であること、あるいはブルートゥースにより通信した相手方の記録容量が十分であり、且つ通信が可能であること、等がチェックされ（１０）、リモコン１１の図示しない［決定］キーがオンされることで、（７）で選択された簡易動画放送の番組がデータ出力部１３にセットされているメモリカード（ＳＤカード）に転送される（１１）。
【００３５】
以上により、ユーザにより、外部媒体（ＳＤカード）への転送が指示された通常放送の番組に付属している簡易動画放送の番組が、図示しないＳＤカードに転送される（１２）。
【００３６】
なお、ユーザが選択可能なクイックメニューとしては、例えば「機器の情報」を表示させるためのモードを起動する『機器の情報』表示や、「フォルダ」を作成するためのモードを起動する『フォルダの作成』表示等が、予め設定されている。
【００３７】
なお、図３および図４は、図２（６）により説明した『通常録画リスト』画面３０１において、（図２（７））により説明したように、リモコン１１の図示しない［カーソル］キーにより、リスト中の番組の表示のうちの任意の番組を選択し、例えば反転表示させる（フォーカスを当てる）ことで、反転表示された番組に簡易動画放送の番組が付随している場合には、『通常録画リスト』画面４０１（図４）中に、『クイックメニュー』表示４１１が、例えばポップアップ表示される（図２（８））例を示している。
【００３８】
また、図５に示すように、『通常録画リスト』画面５０１において、「簡易動画放送の番組が付随している番組」について、簡易動画放送の番組が付随していることを示す『アイコン（個別表示マーク、識別子）』５２１，５２２，・・・，が、通常の放送の番組の表示と同時に表示されてもよい。
【００３９】
また、図６に示すように、通常の放送の番組、あるいは任意の録画済の番組が全画面表示で表示されている『全画面表示』画面６０１においても、リモコン１１の図示しない［クイックメニュー］キーが任意のタイミングで操作されることで、簡易動画放送の番組が付随している場合には、『クイックメニュー』表示６１１が、例えばポップアップ表示されるよう制御することもできる。
【００４０】
なお、図７に示すように、リモコン１１の図示しない［メニュー］キーにより、例えば「録画番組検索」が選択され、『録画番組検索結果』画面７０１が表示された場合においても、「簡易動画放送の番組が付随している番組」について、簡易動画放送の番組が付随していることを示す『アイコン』７２１，７２２，・・・，が『録画番組検索結果』表示画面７０１内の個別の番組表示に、同時に表示されるよう制御することもできる。また、リモコン１１を介して任意のアイコンが選択されることで、『クイックメニュー』表示７１１が、例えばポップアップ表示される。
【００４１】
図８は、図１により概略を説明した映像表示装置を用いて、任意の番組を録画する際に、付随する「簡易動画放送の番組」を同時に録画するか否かを設定する設定方法の一例を示す。
【００４２】
図８において、リモコン１１の図示しない［メニュー］キーにより、例えば「録画予約」が選択されることで、図９に一例を示すような、番組表（番組ナビ（全画面一覧））が表示される（１０１）。
【００４３】
表示された番組表（番組ナビ（全画面一覧））において、リモコン１１の図示しない［カーソル］キーにより、録画しようとしている任意の番組が選択されると、『予約情報設定』画面が表示される。ここでは、「簡易動画放送の番組を同時に録画する」が選択されるものとする（１０２）。
【００４４】
以下、（１０２）において選択された番組の予約実行時刻に達した時点（１０３）で、（１０２）において設定された『予約情報』が読み出され（１０４）、簡易動画放送の番組を通常放送の番組と同時に録画するか否かが、特定される（１０５）。
【００４５】
（１０５）において、簡易動画放送の番組を同時に録画することが設定されていたことが読み出される（１０５−ＹＥＳ）と、通常の放送の番組と簡易動画放送の番組に、識別子（『アイコン』を表示させるための情報）が挿入される。すなわち、通常放送の番組と簡易動画ワンセグ放送の番組を通常放送の番組と一緒に録画する際、連動したコンテンツとわかるように識別子が挿入される（１０６）。
【００４６】
続いて、通常の放送の番組と簡易動画放送の番組が録画される（１０７）。
【００４７】
一方、（１０５）において、簡易動画放送の番組を同時に録画しないことが設定されていたことが読み出された場合（１０５−ＮＯ）には、通常の放送の番組のみが録画される（１０８）。
【００４８】
このように、図８において、（１０５−ＹＥＳ）、（１０６）及び（１０７）により、記録装置６に記録（録画）される番組について、簡易動画放送の番組が付属しており、その簡易動画放送の番組も録画されていることを、通常放送の番組を録画したデータに関連づけることで、図５あるいは図７に示したように、『録画リスト』画面または『録画番組検索結果』画面において、録画済の通常番組に、簡易動画放送の番組が付属しており、その簡易動画放送の番組も録画されていることが表示される。
【００４９】
なお、（１０２）において、ユーザの設定において、簡易動画放送の番組のみを録画するよう設定することも可能である。
【００５０】
また、簡易動画放送の番組が、通常放送の番組とのあいだの動画の一致度合いを、例えば「画像の色情報」、「画像から抽出した輪郭」および「音声の周波数分布」等から、多くの場合、通常放送の番組と同一の内容の一部を部分的に取り出した番組として提供される簡易動画放送とは異なる、と判定された場合には、対象となる簡易動画放送を録画した場合に通常の放送の番組とはリンクを切断して連動させないこと（非連動とすること）が好ましい。連動させてしまうと、あたかも簡易動画放送の番組が実際にあるかのように扱われてしまう場合があるからである。具体的には例えば、簡易動画放送の番組がないにもかかわらず、図５や図７に示したようなアイコンが表示され、ユーザーは簡易動画放送の番組があると混同してしまう。本実施形態によれば、このような問題を回避することが可能である。すなわち、簡易動画放送が、通常放送の番組のサイマルキャストではない場合には、通常放送の番組と同時に録画した簡易動画放送であっても、図４〜図７に示したような通常放送の録画リストと同時には表示しないものとする。
【００５１】
また、図１０に示すように、『通常録画リスト』表示１００１に、ポップアップもしくは「クイックメニュー」表示により表示される『クイックメニュー』表示１０１１に、例えば「通常の番組に連動して録画されている簡易動画放送の番組」を再生するための再生モード（操作メニューの表示）を起動する『ワンセグを再生』表示１０３１を用意することで、簡易動画放送の番組の録画状態の確認や視聴が、専用の簡易動画録画リストを用いることなく、簡単な操作で、可能となる。
【００５２】
以上説明したように、本発明の実施の形態の１つを用いることで、通常の番組に連動して（関連づけて）録画されている簡易動画放送の番組を、例えばＳＤカード等である外部媒体に、容易に転送できる。
【００５３】
すなわち、録画されている通常の番組に簡易動画放送の番組が付属している場合、メニュー表示により表示される『クイックコピー』の実行により、簡易動画放送の番組を、例えばＳＤカード等である外部媒体に、容易にコピーまたはムーブ（コピーが禁止されている番組はムーブのみ許可されている）可能となる。
【００５４】
従って、ユーザの操作性や利便性が向上する。
【００５５】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００５６】
【図１】本発明の実施の形態が適用可能な録画機能付きの映像表示装置の一例を示す概略図。
【図２】図１により概略を説明した映像表示装置を用いて、録画済の番組のうちの簡易動画放送の番組を、外部媒体すなわちデータ出力部にセットされるメモリカード等に転送する方法の一例を示す概略図。
【図３】『通常録画リスト』表示画面の表示の一例を示す概略図。
【図４】図３に示した『通常録画リスト』表示画面に『クイックメニュー』表示が表示された状態の一例を示す概略図。
【図５】図３に示した『通常録画リスト』表示画面の別の実施の形態の一例を示す概略図。
【図６】通常の放送の番組、あるいは任意の録画済の番組が全画面表示で表示されている状態において、『クイックメニュー』表示が表示された状態の一例を示す概略図。
【図７】『番組録画検索結果』表示画面の表示の一例を示す概略図。
【図８】図１により概略を説明した映像表示装置を用いて、任意の番組を録画する際に、付随する「簡易動画放送の番組」を同時に録画するか否かを設定する設定方法の一例を示す概略図。
【図９】『番組表（番組ナビ（全画面一覧））』画面の表示の一例を示す概略図。
【図１０】「通常の番組に連動して（関連づけて）録画されている簡易動画放送の番組」を再生するためのモードを起動する『ワンセグを再生』表示を有する画面の表示の一例を示す概略図。
【符号の説明】
【００５７】
１…映像表示装置、２…（リモコン）受信部、３…コントローラ（主制御ユニット）、４…チューナ部、５…映像・音声・番組情報抽出部、６…記録装置、７…録画制御部、８…録画リスト制御部、９…再生信号処理部、１０…ディスプレイ、１１…リモコン、１２…入力、１３…データ出力部。
【図１】
2009212610.tif 000003
【図２】
2009212610.tif 000004
【図３】
2009212610.tif 000005
【図４】
2009212610.tif 000006
【図５】
2009212610.tif 000007
【図６】
2009212610.tif 000008
【図７】
2009212610.tif 000009
【図８】
2009212610.tif 000010
【図９】
2009212610.tif 000011
【図１０】
2009212610.tif 000012
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
通常の番組に簡易動画の番組が付属しているか否かを抽出するとともに、通常の番組と簡易動画の番組とを識別可能に録画させるための情報を付与する映像・音声・番組情報抽出部と、
前記映像・音声・番組情報抽出部において、通常の番組に簡易動画の番組が付属していることが抽出された場合に、抽出された簡易動画の番組と通常の番組を、独立に録画する録画部と、
を有することを特徴とする映像表示装置。
【請求項２】
前記録画部において録画されている通常の番組のリストを作成するとともに、前記録画部において録画されている通常の番組に簡易動画の番組が付属していることを示す情報が付与されている場合に、通常の番組に簡易動画の番組が付属していることを報知するリスト表示部と、
を有することを特徴とする請求項１に記載の映像表示装置。
【請求項３】
前記リスト表示部は、前記録画部において録画されている通常の番組に付属している番組が、簡易動画の番組とは異なることを検出した場合に、通常の番組のリストとは独立して取り扱うことを特徴とする請求項２記載の映像表示装置。
【請求項４】
通常の番組及び前記通常の番組に付属している簡易動画の番組を録画する録画部と、
前記録画部において録画されている通常の番組のリストを作成するとともに、前記録画部において録画されている通常の番組に簡易動画の番組が付属していることを示す情報が付与されている場合に、通常の番組に簡易動画の番組が付属していることを報知するとともに、簡易動画の番組を外部媒体に転送するための操作メニューを表示するリスト表示部と、
を有することを特徴とする映像表示装置。
【請求項５】
前記リスト表示部は、前記録画部において録画されている通常の番組に簡易動画の番組が付属していることを示す情報が付与されている場合に、簡易動画の番組が付属している通常の番組に、簡易動画の番組が付属していることを示す識別子を表示することを特徴とする請求項２乃至請求項４のいずれかに記載の映像記録再生装置。
【請求項６】
前記リスト表示部は、前記録画部において録画されている通常の番組に簡易動画の番組が付属していることを示す情報が付与されている場合に、通常の番組に簡易動画の番組が付属していることを報知するとともに、簡易動画の番組を再生するための操作メニューを表示することを特徴とする請求項２乃至請求項４のいずれかに記載の映像記録再生装置。
【請求項７】
録画対象である通常の番組に簡易動画の番組が付属しているか否かを抽出し、
通常の番組と簡易動画の番組とを識別可能に録画させるための情報を付与し、
通常の番組と、簡易動画の番組を録画し、
録画されている通常の番組に簡易動画の番組が付属していることを示す情報が付与されている場合に、通常の番組に簡易動画の番組が付属していることを報知するとともに、簡易動画の番組を外部媒体に転送するための操作メニューを表示することを特徴とする映像表示方法。
【手続補正２】
【補正対象書類名】明細書
【補正対象項目名】全文
【補正方法】変更
【補正の内容】
【発明の詳細な説明】
【技術分野】
【０００１】
この発明は、空間波や通信回線により放送事業者や配信事業者から提供されるデジタル放送を受信し、任意の番組（コンテンツ）を再生する映像表示装置および映像表示方法に関する。
【背景技術】
【０００２】
近年、テレビジョン放送のデジタル信号化が推進されている。
【０００３】
日本国内においては、ＭＰＥＧ（Ｍｏｖｉｎｇ  Ｐｉｃｔｕｒｅ  Ｅｘｐｅｒｔｓ  Ｇｒｏｕｐ）２規格から発展させたＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）規格により、デジタル放送が開始されている。
【０００４】
ＩＳＤＢ−Ｔ規格は、１ｃｈ（チャンネル）あたりの周波数帯域幅を１３のセグメントに分割し、そのうちの４〜１２セグメントを用いて、標準画質（ＳＤＴＶ）または高画質（ＨＤＴＶ）の番組（コンテンツと称されることもある）を提供できる。なお、ＨＤＴＶの番組は、ＳＤＴＶの３番組分のセグメントを使用する。
【０００５】
このため、１つだけ残るセグメントを用い、番組の一部を提供する簡易動画放送（部分受信と称されることもある）が規定され、ワンセグ（１セグ，ｏｎｅ  ｓｅｇ）放送として、既に番組が提供されている。
【０００６】
このようなデジタル放送の普及に伴い、通常放送の番組とともに、簡易動画放送の番組も録画できるレコーダ装置（映像記録装置）や録画機能が与えられたテレビ受像機（ＴＶ装置）が、既に実用化されている。
【０００７】
なお、簡易動画放送の番組は、データサイズが通常の放送に比較して小さいため、録画済データを携帯可能に構成された動画再生装置（携帯端末）に移動して再生する、という利用（視聴方法）が広まりつつある。
【０００８】
特許文献１には、既に録画されたデジタル放送の番組のうちの簡易動画放送の番組を、携帯端末が再生可能な記録媒体に、選択的に転送する動画データ転送方法が開示されている。
【特許文献１】特開２００７−２７４５６２
【発明の開示】
【発明が解決しようとする課題】
【０００９】
特許文献１に開示された動画データ転送方法においては、転送しようとしているデータが、簡易動画放送の番組のデータではない場合、携帯端末において再生可能なデータに、再エンコードすることから、簡易動画とは異なるデータサイズの大きな動画データが転送されることになる。また、再エンコードには、レート変換を伴うことから、エンコードに必要な時間は、番組のもともとの時間に依存する。
【００１０】
この発明の目的は、通常放送の番組とともに簡易動画放送の番組も録画できるレコーダ装置（映像記録装置）や録画機能が与えられたテレビ受像機（ＴＶ装置）において、簡易動画放送の番組を録画した動画データが存在することを報知するとともに、簡易動画放送の番組を録画した動画データを、携帯可能な動画再生装置に、容易に転送可能な映像表示装置および映像表示方法を提供することである。
【課題を解決するための手段】
【００１１】
この発明は、上記問題点に基づきなされたもので、通常の番組に簡易動画の番組が付属しているか否かを抽出するとともに、通常の番組と簡易動画の番組とを識別可能に録画させるための情報を付与する映像・音声・番組情報抽出部と、前記映像・音声・番組情報抽出部において、通常の番組に簡易動画の番組が付属していることが抽出された場合に、抽出された簡易動画の番組と通常の番組を、独立に録画する録画部と、を有することを特徴とする映像表示装置を提供するものである。
【発明の効果】
【００１２】
この発明の１つの実施の形態を用いることで、通常の番組と連動して（関連づけて）録画されている簡易動画放送の番組を、例えばＳＤカード等である外部媒体に、容易に転送できる。
【００１３】
すなわち、録画されている通常の番組に簡易動画放送の番組が付属している場合、メニュー表示により表示される『クイックコピー』の実行により、簡易動画放送の番組を、例えばＳＤカード等である外部媒体に、容易にコピーまたはムーブ（コピーが禁止されている番組はムーブのみ許可されている）可能となる。
【００１４】
従って、ユーザの操作性や利便性が向上する。
【発明を実施するための最良の形態】
【００１５】
以下、図面を参照して、本発明の実施の形態の一例について説明する。
【００１６】
図１は、本発明の実施の形態が適用可能な録画機能付きの映像表示装置の一例を示す。なお、以下に説明する録画機能付きの映像表示装置は、例えば映像表示部（モニタ装置）が一体に設けられているテレビ受信機であってもよい。
【００１７】
図１に示す映像表示装置１は、リモートコントローラ（以下リモコンと略称する）１１からのキーコード（制御入力）を受信する受信部２と、受信部２において受信したキーコードに従い、後段に説明するチューナ４、映像・音声・番組情報抽出部５、記録装置６、録画制御部７、録画リスト制御部８、及び再生信号処理部９のそれぞれを制御するコントローラ３を含む。
【００１８】
コントローラ３は、図示しないが、ＣＰＵ（Ｃｅｎｔｒａｌ  Ｐｒｏｃｅｓｓｉｎｇ  Ｕｎｉｔ）として機能する主制御ＩＣ（Ｉｎｔｅｇｒａｔｅｄ  Ｃｉｒｃｕｉｔ）またはＬＳＩ（Ｌａｒｇｅ  Ｓｃａｌｅ  Ｉｎｔｅｇｒａｔｅｄ  ｃｉｒｃｕｉｔ）、ＣＰＵが実行する制御プログラムを保持したＲＯＭ（Ｒｅａｄ  Ｏｎｌｙ  Ｍｅｍｏｒｙ）、ＣＰＵに作業エリアを提供するＲＡＭ（Ｒａｎｄｏｍ  Ａｃｃｅｓｓ  Ｍｅｍｏｒｙ）、各種の設定情報や制御情報等が格納される不揮発性メモリ（Ｎｏｎ  Ｖｏｌａｔｉｌｉｔｙ  Ｍｅｍｏｒｙ）、ならびに時刻管理や、ユーザからの入力により設定される録画予約等に利用されるタイマコントローラ（Ｔｉｍｅｒ  Ｃｏｎｔｒｏｌｌｅｒ）等を含む。
【００１９】
チューナ４は、入力（映像、音声、番組情報が含まれるデータ）１２として、例えば図示しないアンテナが接続され、空間波（地表波および衛星波）による放送が受信可能である場合には、リモコン１１を介して指示されたチャンネル（ｃｈ）の番組（コンテンツと称されることもある）を受信する。また、入力１２として、例えば図示しない光ケーブル等により、ケーブルＴＶ局から配信される放送が受信可能である場合には、リモコン１１を介して指示されたチャンネル（ｃｈ）の番組を受信する。なお、チューナ４は、ある映像、音声、番組情報が含まれるデータから、他の映像、音声、番組情報が含まれるデータへ切り換えることができれば、チューナという呼称にとらわれる必要は無く、例えば通信回線を介してアクセス可能なネットワーク上のサーバや特定の配信事業者が提供する映像供給サイトへの接続を可能とする通信装置と置き換えられてもよい。もちろん、通信装置とチューナ４の双方が用意されてもよいことはいうまでもない。
【００２０】
映像・音声・番組情報抽出部５は、チューナ４から出力された信号から映像、音声、番組情報を抽出するもので、チューナ４を介して取得したｃｈ（チャンネル）の番組を復号化して映像信号及び音声信号を得るとともに、番組にマージ（併合）して供給される各種データ（番組情報）や番組属性情報（番組ジャンル等）等を抽出する。なお、番組情報には、例えば簡易動画放送（ワンセグ、と称される）の番組が付属していることを示すＳＩ（Ｓｅｒｖｉｃｅ  Ｉｎｆｏｒｍａｔｉｏｎ）等が含まれている。従って、後段に説明するが、デジタル放送において通常供給される圧縮動画であるＭＰＥＧ（Ｍｏｖｉｎｇ  Ｐｉｃｔｕｒｅ  Ｅｘｐｅｒｔｓ  Ｇｒｏｕｐ）−ＴＳ（Ｔｒａｎｓｐｏｒｔ  Ｓｔｒｅａｍ）方式において付属する管理データ部分をチェックすることで、簡易動画放送の番組が付属しているか否かが特定できる。なお、簡易動画（ワンセグ）放送は、部分受信と称されることもあり、また部分受信は、動画（映像）に限らず、データ（データ放送）や、音声のみの放送についても適用される。
【００２１】
記録装置６は、例えば２５０〜１０００Ｇバイトの記録容量が与えられた書き換え可能な大容量記録装置（Ｈａｒｄ  Ｄｉｓｋ  Ｄｒｉｖｅ，ＨＤＤ）であって、記録レートを変えることにより、最大で１０００時間程度の映像信号および音声信号が記録可能である。なお、記録装置６に保持されている番組は、詳述しないが、家庭内ネットワークやサーバを介して接続されている他の映像記録再生装置のハードディスク装置や映像記録再生装置１に増設されたハードディスク装置であってもよいことはいうまでもない。
【００２２】
録画制御部７は、記録装置６への録画番組の書き込みと記録装置６からの番組の読み出し、録画リスト制御部８への番組情報の受け渡し、再生信号処理部９を経由した映像（再生画像）出力、ならびに後段に説明するデータ出力部１３へのデータの転送等を制御するもので、記録装置６への録画番組の書き込み時には、映像・音声・番組情報抽出部５において復号化された番組をエンコードし、記録装置６から読み出した番組をデコードして、後段の再生信号処理部９に出力する。また、録画制御部７は、データ出力部１３に接続されたメモリカード等への記録装置６が保持する番組の転送に利用される。なお、録画制御部７は、記録装置６へ番組を録画するに際し、録画しようとしている通常放送の番組に、簡易動画（ワンセグ）放送の番組が付属している場合には、図８により、後段に説明するが、それぞれを独立して別ファイルに記録させるとともに、通常放送の番組と簡易動画放送の番組が連動していることを示す、識別子を付与する。
【００２３】
録画リスト制御部８は、記録装置６から読み出され、録画制御部７でデコードされた番組に付属する番組情報を基に録画リストを生成する。
【００２４】
再生信号処理部９は、記録装置６から読み出され、録画制御部７でデコードされた番組を、ディスプレイ１０において映像（再生画像）として表示（再生）することのできる出力映像信号を生成する。なお、再生信号処理部９は、ディスプレイ１０との間で分岐され、図示しない出力端に出力されてもよい。すなわち、出力端には、ディスプレイ１０とは独立した別の表示装置（モニタ装置）や、アナログ式のレコーダ装置等が接続可能であり、出力端に接続された機器側で出力映像信号をさらに処理することを可能とする。
【００２５】
録画制御部７には、さらに半導体メモリ（カードメモリ）等が装着可能なカードリーダライタ／メモリスロット等であるデータ出力部１３が接続されている。なお、データ出力部１３は、例えばＵＳＢ（Ｕｎｉｖｅｒｓａｌ  Ｓｅｒｉａｌ  Ｂｕｓ）ポート等に代表されるインタフェースであってもよいし、データ出力部１３と接続されたＵＳＢマスストレージであってもよい。また、データ出力部１３は、例えばブルートゥース（Ｂｌｕｅ  Ｔｏｏｔｈ，登録商標）等に代表される無線通信機器であってもよい。
【００２６】
次に、図１により概略を説明した映像表示装置を用いて、録画済の番組のうちの簡易動画放送の番組を、外部媒体すなわちデータ出力部にセットされるメモリカード等に転送する方法の一例を示す。
【００２７】
図２において、リモコン１１の図示しない［録画リスト］キーがオン（録画リストの表示が指示）されることで、簡易動画放送の番組を外部媒体へコピー（転送）することが可能な転送モード（操作メニューを表示）が起動される（１）。
【００２８】
（１）において、簡易動画放送の番組を外部媒体へコピー（転送）することが可能なモードが起動されると、記録装置６に記録されている通常放送の番組の１つが記録装置６から取得される（２）。
【００２９】
次に、（２）で取得した通常放送の番組に簡易動画放送の番組が付属しているか否かが判定される（３）。
【００３０】
（３）において、簡易動画放送の番組が付属していると判定された場合（（３）−ＹＥＳ）は、後段で表示させる録画リストにおいて、その番組にワンセグアイコンを表示するため、「ワンセグアイコンの表示」を表示することが必要であることが関連づけられる。例えばメインメモリ（ＲＡＭ）内の所定の領域（ワンセグフラグエリア等）に確保されている『ワンセグアイコンフラグ』が“０”→“１”に変更される（４）。
【００３１】
続いて、記録装置６に記録されている通常番組が他にあるか否かがチェックされる（５）。
【００３２】
（２）〜（５）により、記録装置６に記録されている総ての番組について、簡易動画放送の番組が付属しているか否かがチェックされ、チェックが終了した時点（（５）−ＹＥＳ）で、（３）で得られた情報（『ワンセグアイコンフラグ』）に基づき、録画リストを表示可能な出力映像信号が生成される。この時点で、図３に示すような表示画面を表示可能な出力映像信号が得られる。従って、再生信号処理部９とディスプレイ１０とが接続されている場合には、ディスプレイ１０に、図３に示したような『通常録画リスト』画面が表示される。一方、図示しない出力端に、モニタ装置を接続することで、同様に図３に示したような『通常録画リスト』画面が表示される（６）。
【００３３】
リストされた『通常録画リスト』画面において、リモコン１１の図示しない［カーソル］キーにより、リスト中の任意の番組が選択され（７）、リモコン１１の図示しない［クイックメニュー］キーによりクイックメニューの表示が指示されると、図４に示すように、選択された番組を外部媒体へコピー可能な『クイックメニュー』表示が表示される（８）。
【００３４】
この状態で、ユーザにより、『クイックメニュー』表示のうちの『ワンセグをＳＤカードへコピー』が選択される（９）と、データ出力部１３にメモリカード（ＳＤカード）がセットされていること、及びセットされていることがチェックできた場合に空き容量が十分であること、あるいはブルートゥースにより通信した相手方の記録容量が十分であり、且つ通信が可能であること、等がチェックされ（１０）、リモコン１１の図示しない［決定］キーがオンされることで、（７）で選択された簡易動画放送の番組がデータ出力部１３にセットされているメモリカード（ＳＤカード）に転送される（１１）。
【００３５】
以上により、ユーザにより、外部媒体（ＳＤカード）への転送が指示された通常放送の番組に付属している簡易動画放送の番組が、図示しないＳＤカードに転送される（１２）。
【００３６】
なお、ユーザが選択可能なクイックメニューとしては、例えば「機器の情報」を表示させるためのモードを起動する『機器の情報』表示や、「フォルダ」を作成するためのモードを起動する『フォルダの作成』表示等が、予め設定されている。
【００３７】
なお、図３および図４は、図２（６）により説明した『通常録画リスト』画面３０１において、（図２（７））により説明したように、リモコン１１の図示しない［カーソル］キーにより、リスト中の番組の表示のうちの任意の番組を選択し、例えば反転表示させる（フォーカスを当てる）ことで、反転表示された番組に簡易動画放送の番組が付属している場合には、『通常録画リスト』画面４０１（図４）中に、『クイックメニュー』表示４１１が、例えばポップアップ表示される（図２（８））例を示している。
【００３８】
また、図５に示すように、『通常録画リスト』画面５０１において、「簡易動画放送の番組が付属している番組」について、簡易動画放送の番組が付属していることを示す『アイコン（個別表示マーク、識別子）』５２１，５２２，・・・，が、通常の放送の番組の表示と同時に表示されてもよい。
【００３９】
また、図６に示すように、通常の放送の番組、あるいは任意の録画済の番組が全画面表示で表示されている『全画面表示』画面６０１においても、リモコン１１の図示しない［クイックメニュー］キーが任意のタイミングで操作されることで、簡易動画放送の番組が付属している場合には、『クイックメニュー』表示６１１が、例えばポップアップ表示されるよう制御することもできる。
【００４０】
なお、図７に示すように、リモコン１１の図示しない［メニュー］キーにより、例えば「録画番組検索」が選択され、『録画番組検索結果』画面７０１が表示された場合においても、「簡易動画放送の番組が付属している番組」について、簡易動画放送の番組が付属していることを示す『アイコン』７２１，７２２，・・・，が『録画番組検索結果』表示画面７０１内の個別の番組表示に、同時に表示されるよう制御することもできる。また、リモコン１１を介して任意のアイコンが選択されることで、『クイックメニュー』表示７１１が、例えばポップアップ表示される。
【００４１】
図８は、図１により概略を説明した映像表示装置を用いて、任意の番組を録画する際に、付属する「簡易動画放送の番組」を同時に録画するか否かを設定する設定方法の一例を示す。
【００４２】
図８において、リモコン１１の図示しない［メニュー］キーにより、例えば「録画予約」が選択されることで、図９に一例を示すような、番組表（番組ナビ（全画面一覧））が表示される（１０１）。
【００４３】
表示された番組表（番組ナビ（全画面一覧））において、リモコン１１の図示しない［カーソル］キーにより、録画しようとしている任意の番組が選択されると、『予約情報設定』画面が表示される。ここでは、「簡易動画放送の番組を同時に録画する」が選択されるものとする（１０２）。
【００４４】
以下、（１０２）において選択された番組の予約実行時刻に達した時点（１０３）で、（１０２）において設定された『予約情報』が読み出され（１０４）、簡易動画放送の番組を通常放送の番組と同時に録画するか否かが、特定される（１０５）。
【００４５】
（１０５）において、簡易動画放送の番組を同時に録画することが設定されていたことが読み出される（１０５−ＹＥＳ）と、通常の放送の番組と簡易動画放送の番組に、識別子（『アイコン』を表示させるための情報）が挿入される。すなわち、通常放送の番組と簡易動画ワンセグ放送の番組を通常放送の番組と一緒に録画する際、連動したコンテンツとわかるように識別子が挿入される（１０６）。
【００４６】
続いて、通常の放送の番組と簡易動画放送の番組が録画される（１０７）。
【００４７】
一方、（１０５）において、簡易動画放送の番組を同時に録画しないことが設定されていたことが読み出された場合（１０５−ＮＯ）には、通常の放送の番組のみが録画される（１０８）。
【００４８】
このように、図８において、（１０５−ＹＥＳ）、（１０６）及び（１０７）により、記録装置６に記録（録画）される番組について、簡易動画放送の番組が付属しており、その簡易動画放送の番組も録画されていることを、通常放送の番組を録画したデータに関連づけることで、図５あるいは図７に示したように、『録画リスト』画面または『録画番組検索結果』画面において、録画済の通常番組に、簡易動画放送の番組が付属しており、その簡易動画放送の番組も録画されていることが表示される。
【００４９】
なお、（１０２）において、ユーザの設定において、簡易動画放送の番組のみを録画するよう設定することも可能である。
【００５０】
また、簡易動画放送の番組が、通常放送の番組とのあいだの動画の一致度合いを、例えば「画像の色情報」、「画像から抽出した輪郭」および「音声の周波数分布」等から、多くの場合、通常放送の番組と同一の内容の一部を部分的に取り出した番組として提供される簡易動画放送とは異なる、と判定された場合には、対象となる簡易動画放送を録画した場合に通常の放送の番組とはリンクを切断して連動させないこと（非連動とすること）が好ましい。連動させてしまうと、あたかも簡易動画放送の番組が実際にあるかのように扱われてしまう場合があるからである。具体的には例えば、簡易動画放送の番組がないにもかかわらず、図５や図７に示したようなアイコンが表示され、ユーザーは簡易動画放送の番組があると混同してしまう。本実施形態によれば、このような問題を回避することが可能である。すなわち、簡易動画放送が、通常放送の番組のサイマルキャストではない場合には、通常放送の番組と同時に録画した簡易動画放送であっても、図４〜図７に示したような通常放送の録画リストと同時には表示しないものとする。
【００５１】
また、図１０に示すように、『通常録画リスト』表示１００１に、ポップアップもしくは「クイックメニュー」表示により表示される『クイックメニュー』表示１０１１に、例えば「通常の番組に連動して録画されている簡易動画放送の番組」を再生するための再生モード（操作メニューの表示）を起動する『ワンセグを再生』表示１０３１を用意することで、簡易動画放送の番組の録画状態の確認や視聴が、専用の簡易動画録画リストを用いることなく、簡単な操作で、可能となる。
【００５２】
以上説明したように、本発明の実施の形態の１つを用いることで、通常の番組に連動して（関連づけて）録画されている簡易動画放送の番組を、例えばＳＤカード等である外部媒体に、容易に転送できる。
【００５３】
すなわち、録画されている通常の番組に簡易動画放送の番組が付属している場合、メニュー表示により表示される『クイックコピー』の実行により、簡易動画放送の番組を、例えばＳＤカード等である外部媒体に、容易にコピーまたはムーブ（コピーが禁止されている番組はムーブのみ許可されている）可能となる。
【００５４】
従って、ユーザの操作性や利便性が向上する。
【００５５】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００５６】
【図１】本発明の実施の形態が適用可能な録画機能付きの映像表示装置の一例を示す概略図。
【図２】図１により概略を説明した映像表示装置を用いて、録画済の番組のうちの簡易動画放送の番組を、外部媒体すなわちデータ出力部にセットされるメモリカード等に転送する方法の一例を示す概略図。
【図３】『通常録画リスト』表示画面の表示の一例を示す概略図。
【図４】図３に示した『通常録画リスト』表示画面に『クイックメニュー』表示が表示された状態の一例を示す概略図。
【図５】図３に示した『通常録画リスト』表示画面の別の実施の形態の一例を示す概略図。
【図６】通常の放送の番組、あるいは任意の録画済の番組が全画面表示で表示されている状態において、『クイックメニュー』表示が表示された状態の一例を示す概略図。
【図７】『番組録画検索結果』表示画面の表示の一例を示す概略図。
【図８】図１により概略を説明した映像表示装置を用いて、任意の番組を録画する際に、付属する「簡易動画放送の番組」を同時に録画するか否かを設定する設定方法の一例を示す概略図。
【図９】『番組表（番組ナビ（全画面一覧））』画面の表示の一例を示す概略図。
【図１０】「通常の番組に連動して（関連づけて）録画されている簡易動画放送の番組」を再生するためのモードを起動する『ワンセグを再生』表示を有する画面の表示の一例を示す概略図。
【符号の説明】
【００５７】
１…映像表示装置、２…（リモコン）受信部、３…コントローラ（主制御ユニット）、４…チューナ部、５…映像・音声・番組情報抽出部、６…記録装置、７…録画制御部、８…録画リスト制御部、９…再生信号処理部、１０…ディスプレイ、１１…リモコン、１２…入力、１３…データ出力部。